【手続補正書】
【提出日】平成16年4月13日(2004.4.13)
【手続補正１】
【補正対象書類名】明細書
【補正対象項目名】発明の名称
【補正方法】変更
【補正の内容】
【発明の名称】演奏指示装置及び演奏指示のプログラムを記録した記録媒体


【手続補正２】
【補正対象書類名】明細書
【補正対象項目名】特許請求の範囲
【補正方法】変更
【補正の内容】
【特許請求の範囲】
【請求項１】
外部からマニュアル演奏操作データを入力する入力手段と、
少なくとも、演奏に係るオン操作またはオフ操作を示すイベント情報と該イベント情報を実行するタイミングを示すタイミング情報とを含む曲データを記憶する記憶手段と、
前記記憶手段に記憶されている曲データを順次読み出す読出手段と、
前記読出手段で読み出される曲データのオン操作イベント情報に対応するタイミング情報が示すタイミングにて、表示手段の画面上の特定位置に所定のアイコン画像が到達するように当該アイコン画像をスクロール表示させると共に、前記入力手段からオフ操作を示すマニュアル演奏操作データが入力されたタイミングと前記読出手段で読み出される曲データのオフ操作イベント情報に対応するタイミング情報が示すタイミングとが所定時間以上ずれている場合に、前記アイコン画像を異なる形態に変更して表示させる表示制御手段と、
を有することを特徴とする演奏指示装置。
【請求項２】
少なくとも、演奏に係るオン操作またはオフ操作を示すイベント情報と該イベント情報を実行するタイミングを示すタイミング情報とを含む曲データを記憶する記憶手段と、
前記記憶手段に記憶されている曲データを順次読み出す読出手段と、
前記読出手段で読み出される曲データのオン操作イベント情報に対応するタイミング情報が示すタイミングにて、表示手段の画面上の特定位置に所定のアイコン画像が到達するように当該アイコン画像をスクロール表示させると共に、前記オン操作イベント情報の実行タイミングからオフ操作イベント情報の実行タイミングまでの時間間隔に対応する距離だけ前記表示手段の画面上の特定位置から離れた位置をスクロール表示開始位置として前記アイコン画像を表示させる表示制御手段と、
を有することを特徴とする演奏指示装置。
【請求項３】
コンピュータに、
外部からマニュアル演奏操作データを入力する入力手順と、
少なくとも、演奏に係るオン操作またはオフ操作を示すイベント情報と該イベント情報を実行するタイミングを示すタイミング情報とを含む曲データを記憶する記憶手段から曲データを順次読み出す読出手順と、
前記読出手順にて読み出される曲データのオン操作イベント情報に対応するタイミング情報が示すタイミングにて、表示手段の画面上の特定位置に所定のアイコン画像が到達するように当該アイコン画像をスクロール表示させると共に、前記入力手順でオフ操作を示すマニュアル演奏操作データが入力されたタイミングと前記読出手順で読み出される曲データのオフ操作イベント情報に対応するタイミング情報が示すタイミングとが所定時間以上ずれている場合に、前記アイコン画像を異なる形態に変更して表示させる表示制御手順と、
を実行させるためのプログラムを記録したコンピュータ読み取り可能な記録媒体。
【請求項４】
コンピュータに、
少なくとも、演奏に係るオン操作またはオフ操作を示すイベント情報と該イベント情報を実行するタイミングを示すタイミング情報とを含む曲データを記憶する記憶手段から曲データを順次読み出す読出手順と、
前記読出手順にて読み出される曲データのオン操作イベント情報に対応するタイミング情報が示すタイミングにて、表示手段の画面上の特定位置に所定のアイコン画像が到達するように当該アイコン画像をスクロール表示させると共に、前記オン操作イベント情報の実行タイミングからオフ操作イベント情報の実行タイミングまでの時間間隔に対応する距離だけ前記表示手段の画面上の特定位置から離れた位置をスクロール表示開始位置として前記アイコン画像を表示させる表示制御手順と、
を実行させるためのプログラムを記録したコンピュータ読み取り可能な記録媒体。
【手続補正３】
【補正対象書類名】明細書
【補正対象項目名】０００４
【補正方法】変更
【補正の内容】
【０００４】
【課題を解決するための手段】
請求項１に記載の演奏指示装置の発明は、外部からマニュアル演奏操作データを入力する入力手段と、少なくとも、演奏に係るオン操作またはオフ操作を示すイベント情報と該イベント情報を実行するタイミングを示すタイミング情報とを含む曲データを記憶する記憶手段と、前記記憶手段に記憶されている曲データを順次読み出す読出手段と、前記読出手段で読み出される曲データのオン操作イベント情報に対応するタイミング情報が示すタイミングにて、表示手段の画面上の特定位置に所定のアイコン画像が到達するように当該アイコン画像をスクロール表示させると共に、前記入力手段からオフ操作を示すマニュアル演奏操作データが入力されたタイミングと前記読出手段で読み出される曲データのオフ操作イベント情報に対応するタイミング情報が示すタイミングとが所定時間以上ずれている場合に、前記アイコン画像を異なる形態に変更して表示させる表示制御手段と、を有する構成になっている。
請求項３に記載の記録媒体の発明は、外部からマニュアル演奏操作データを入力する入力手順と、少なくとも、演奏に係るオン操作またはオフ操作を示すイベント情報と該イベント情報を実行するタイミングを示すタイミング情報とを含む曲データを記憶する記憶手段から曲データを順次読み出す読出手順と、前記読出手順にて読み出される曲データのオン操作イベント情報に対応するタイミング情報が示すタイミングにて、表示手段の画面上の特定位置に所定のアイコン画像が到達するように当該アイコン画像をスクロール表示させると共に、前記入力手順でオフ操作を示すマニュアル演奏操作データが入力されたタイミングと前記読出手順で読み出される曲データのオフ操作イベント情報に対応するタイミング情報が示すタイミングとが所定時間以上ずれている場合に、前記アイコン画像を異なる形態に変更して表示させる表示制御手順と、をコンピュータに読み取り実行させる演奏指示のプログラムを記録している。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
また、請求項２に記載の演奏指示装置の発明は、少なくとも、演奏に係るオン操作またはオフ操作を示すイベント情報と該イベント情報を実行するタイミングを示すタイミング情報とを含む曲データを記憶する記憶手段と、前記記憶手段に記憶されている曲データを順次読み出す読出手段と、前記読出手段で読み出される曲データのオン操作イベント情報に対応するタイミング情報が示すタイミングにて、表示手段の画面上の特定位置に所定のアイコン画像が到達するように当該アイコン画像をスクロール表示させると共に、前記オン操作イベント情報の実行タイミングからオフ操作イベント情報の実行タイミングまでの時間間隔に対応する距離だけ前記表示手段の画面上の特定位置から離れた位置をスクロール表示開始位置として前記アイコン画像を表示させる表示制御手段と、を有する構成になっている。
請求項４に記載の記録媒体の発明は、少なくとも、演奏に係るオン操作またはオフ操作を示すイベント情報と該イベント情報を実行するタイミングを示すタイミング情報とを含む曲データを記憶する記憶手段から曲データを順次読み出す読出手順と、前記読出手順にて読み出される曲データのオン操作イベント情報に対応するタイミング情報が示すタイミングにて、表示手段の画面上の特定位置に所定のアイコン画像が到達するように当該アイコン画像をスクロール表示させると共に、前記オン操作イベント情報の実行タイミングからオフ操作イベント情報の実行タイミングまでの時間間隔に対応する距離だけ前記表示手段の画面上の特定位置から離れた位置をスクロール表示開始位置として前記アイコン画像を表示させる表示制御手順と、をコンピュータに読み取り実行させる演奏指示のプログラムを記録している。


【手続補正６】
【補正対象書類名】明細書
【補正対象項目名】０００７
【補正方法】変更
【補正の内容】
【０００７】
請求項１および請求項３に記載の発明によれば、演奏者の離鍵タイミングが早すぎたり遅すぎたりしたときに表示形態を変更して、演奏者に離鍵タイミングの正誤を知らしめ、また、請求項２および請求項４に記載の発明によれば、押鍵タイミングに先立って押鍵−離鍵時間間隔に応じて表示画面上における距離を変更して、演奏者に音長を知らしめるので、楽譜が読めなくても押鍵時間を容易に認識できるようになる。


【手続補正７】
【補正対象書類名】明細書
【補正対象項目名】００８４
【補正方法】変更
【補正の内容】
【００８４】
【発明の効果】
請求項１および請求項３に記載の発明によれば、演奏者の離鍵タイミングが早すぎたり遅すぎたりしたときに表示形態を変更して、演奏者に離鍵タイミングの正誤を知らしめ、また、請求項２および請求項４に記載の発明によれば、押鍵タイミングに先立って押鍵−離鍵時間間隔に応じて表示画面上における距離を変更して、演奏者に音長を知らしめるので、楽譜が読めなくても押鍵時間を容易に認識できるようになる。